(57)【特許請求の範囲】
【請求項１】
水平に設けられた回動支持軸に嵌合させる横孔を中心部に穿ち、該横孔の側部から外側面に亘って割溝を切り、該割溝により上下に分離された分割部分を複数の締付ボルトによって上下方向に締め付けるようにして成る加圧ローラの支持ブロック体に対し；
一端部に前記複数の締付ボルト（７、７）のネジ棒部分（７Ａ、７Ａ）を同時に挿通係合させる複数の切り込み部（１１、１１）を設けた治具基板（１２）と、該治具基板（１２）の他端上面に、前記複数の切り込み部（１１、１１）の配列と並行にして固着されてＬ字形状のテコ棒（Ｔ）の水平部を挿入可能にした筒体（１３）と、前記治具基板（１２）の前後端に設けられて前記支持ブロック体（８）の前後端面に係合してその前後移動を規制するストッパ板（１４、１４）と、から成ることを特徴とする鋳物砂再生装置の加圧ローラ交換用治具。
【請求項２】
前記Ｌ字形状のテコ棒（Ｔ）の水平部を挿入可能にした筒体（１３）が治具基板（１２）の他端において前後両端面まで延長されて設けられていることを特徴とする請求項１記載の鋳物砂再生装置の加圧ローラ交換用治具。
【発明の詳細な説明】
【０００１】
【発明の属する技術分野】
本発明は、注湯後回収された鋳物砂を回転ドラムと回転可能にされた加圧ローラとを利用して摩擦力により付着物を剥離除去させる鋳物砂再生装置の加圧ローラ交換用治具に関する。
【０００２】
【従来の技術】
従来、上記のような鋳物砂再生装置は特開平７−２５６３９０号公報等により公知になっている。このような鋳物砂再生装置に使用される加圧ローラは、再生する鋳物砂の性状にもよるが約２０００〜１００００時間使用すると摩耗するためその都度交換する必要がある。
なお上記のような加圧ローラは、一般に図５に示すように回転ドラム１の上方において水平に設けられた回動支持軸２に嵌合させる横孔３を中心部に穿ち、該横孔３の側部から外側面に亘って割溝４を切り、該割溝４により上下に分離された分割部分５、６を複数の締付ボルト７、７によって上下方向に締め付けるようにして成る支持ブロック体８の下部に、支持軸９を介して加圧ローラ１０を回転可能にして取付けている。
【０００３】
この加圧ローラ１０を交換する場合には、回転ドラム１を前後に２分割して前方を開放した後、締付ボルト７、７をゆるめて回動支持軸２に抱き付いている支持ブロック体８を前方に引き出して装置外に持ち出した後加圧ローラ１０を支持軸９から取り外して新しい加圧ローラ１０と交換していた。
【０００４】
【発明が解決しようとする課題】
上記のような加圧ローラの交換作業は、支持ブロック体及び加圧ローラを回動支持軸から抜き出して装置外に持ち出すのに作業者が重量物を取り扱わなければならず交換作業に長時間を要すると共に重労働になり、かつ安全性の面において問題があった。
本発明は、上記の問題に鑑みて成されたもので、鋳物砂再生装置における加圧ローラの交換を簡単かつ短時間のうちに安全に成すことができる交換用治具を提供することを目的とする。
【０００５】
【課題を解決するための手段】
上記の目的を達成するために本発明における鋳物砂再生装置の加圧ローラ交換用治具は、水平に設けられた回動支持軸に嵌合させる横孔を中心部に穿ち、該横孔の側部から外側面に亘って割溝を切り、該割溝により上下に分離された分割部分を複数の締付ボルトによって上下方向に締め付けるようにして成る加圧ローラの支持ブロック体に対し；
一端部に前記複数の締付ボルトのネジ棒部分を同時に挿通係合させる複数の切り込み部を設けた治具基板と、該治具基板の他端上面に、前記複数の切り込み部の配列と並行にして固着されてＬ字形状のテコ棒の水平部を挿入可能にした筒体と、前記治具基板の前後端に設けられて前記支持ブロック体の前後端面に係合してその前後移動を規制するストッパ板と、から成ることを特徴とするものである。
【０００６】
【発明の実施の形態】
以下本発明の実施の形態を図１〜図４に基づいて詳しく説明する。なお本発明の加圧ローラ交換用治具は、図５の鋳物砂再生装置に対応したものになっているため同一部分は同一符号を使用して構成の説明を省略する。
図１（イ）は本発明の加圧ローラ交換用治具の平面図、図１（ロ）は正面図であり、該加圧ローラ交換用治具は、一端に前記複数の締付ボルト７、７のネジ棒部分７Ａ、７Ａを同時に挿通係合させる複数の切り込み部１１、１１を設けると共に前記支持ブロック体８の上面に対応する大きさにされた治具基板１２と、該治具基板１２の他端上部に前記複数の切り込み部１１、１１の配列と並行して固着されて、Ｌ字形状のテコ棒Ｔ（図３参照）の水平部を挿入可能にした筒体１３と、前記治具基板１２の前後端に設けられて前記支持ブロック体８の前後端面に係合してその前後移動を規制するストッパ板１４、１４と、で構成されている。
【０００７】
このように構成されたものは、支持軸９に回転可能にして取付けられた加圧ローラ１０の交換の際には図５における締付ボルト７、７をゆるめてボルト頭を支持ブロック体８から若干浮き上がらせる。これにより支持ブロック体８の回動支持軸２への抱き付きがゆるめられて支持ブロック体８が回動支持軸２を中心にして回転可能にされる。
次に図１の治具基板１２を図２における支持ブロック体８の上面に置き、かつ締付ボルト７、７のネジ棒部分７Ａ、７Ａに対し、切り込み部１１、１１が係合されるようにストッパ板１４、１４により規制させながら左方向に移動させた後、Ｌ字形状のテコ棒Ｔの水平部を筒体１３に挿入して図２の状態になる。
【０００８】
次にＬ字形状のテコ棒Ｔを水平部を中心にして上方に回転させる（テコの原理によりさほど大きな力を要しない）ことにより加圧ローラ１０を回転ドラム１の上端よりも若干高い位置まで回動させた後、該回転ドラム１における加圧ローラ１０の直下のドラム上端位置に、渡し板Ｐを掛け渡すと共にテコ棒Ｔによる押し上げをゆるめて加圧ローラ１０を渡し板Ｐ上に置き図４の状態にされる。
次に締付ボルト７、７を締め付けて支持ブロック体８を回動支持軸２に固定した後渡し板Ｐが強制的に取り除かれる、
【０００９】
この状態で支持軸９と加圧ローラ１０とを連結している図示されないボルトをゆるめて加圧ローラ１０を取り外した後、新しい加圧ローラ１０を交換取付けし、テコ棒Ｔにより加圧ローラ１０を持ち上げた状態にして締付ボルト７、７を若干ゆるめると共にテコ棒Ｔをゆっくり下降回転させて加圧ローラ１０を図２の状態に戻し、テコ棒Ｔ及び加圧ローラ交換用治具を支持ブロック体８の上面から除去した後締付ボルト７、７により支持ブロック体８の分割部分５、６を上下に締め付け、支持ブロック体８を回動支持軸２に抱き付かせて加圧ローラ１０姿勢をを固定する。
なお上記実施の形態ではＬ字形状のテコ棒Ｔを挿入する筒体１３は治具基板１２の前後両端まで延長されているため両端の開口からテコ棒Ｔを挿入することができ、姿勢が逆になている他方の加圧ローラの交換にも対応できる。
【００１０】
【発明の効果】
本発明は上記の説明から明らかなように、一端部に複数の締付ボルトのネジ棒部分を同時に挿通係合させる複数の切り込み部を設けた治具基板と、該治具基板の他端上面に設けられてＬ字形状のテコ棒の水平部を挿入可能にした筒体と、該治具基板の前後端に設けられて支持ブロック体の前後端面に係合してその前後移動を規制するストッパ板と、で構成したから、従来の鋳物砂再生装置を改変することなくテコの原理を利用して簡単にかつ安全に加圧ローラの交換をすることができるようになる。
【図面の簡単な説明】
【図１】加圧ローラ交換用治具の平面図（イ）及び正面図（ロ）である。
【図２】加圧ローラ交換用治具を装着した状態を示す鋳物砂再生装置の要部概念図である。
【図３】図２におけるＡ−Ａ矢視図である。
【図４】加圧ローラを回動させた状態を示す鋳物砂再生装置の要部概念図である。
【図５】鋳物砂再生装置の要部概念図である。
【符号の説明】
７ 締付ボルト
７Ａ ネジ棒部分
８ 支持ブロック体
加圧ローラ
１１ 切り込み部
１２ 治具基板
１３ 筒体
１４ ストッパ板
Ｔ テコ棒
【図１】
0003659387.tif 000002
【図２】
0003659387.tif 000003
【図３】
0003659387.tif 000004
【図４】
0003659387.tif 000005
【図５】
0003659387.tif 000006